(57)【要約】【課題】読取光学系を固定した状態で原稿を副走査方向へ移動させて原稿情報を読取るシートスルー方式を有する画像読取装置において、光源による温度上昇で、周辺部品の変形を抑止して装置への悪影響を防止することを目的とする。【解決手段】原稿を照明するための光源を有する走行体と、原稿をセットし、走行体が直下を走査して読み取る為の原稿セットガラスと、走行体が直下に停滞し、原稿を移動させて読み取る為の小サイズガラスと、小サイズガラスを支えるフレームと、原稿セットガラス上に、移動する原稿をガイドするためのガイド手段と、フレームと原稿セットガラスとの接触部において、フレームが下方に撓むのを防ぐための支持手段を備える。【選択図】図１
2009218832.tif 000002
【特許請求の範囲】
【請求項１】
原稿を照明するための光源を有する走行体と、
前記原稿をセットし、前記走行体が直下を走査して読み取る為の原稿セットガラスと、
前記走行体が直下に停滞し、前記原稿を移動させて読み取る為の小サイズガラスと、
前記小サイズガラスを支えるフレームと、
前記小サイズガラス上を通過した後の前記原稿の移動をガイドするためのガイド手段と、
前記フレームと前記原稿セットガラスとの接触部において、前記フレームが下方に撓むのを防ぐための支持手段を備えることを特徴とする画像読取装置。
【請求項２】
前記支持手段は、前記フレームの前記接触部が、９０°折り曲げられ、前記接触部にて前記フレームと前記原稿セットガラスを接着する接着手段を有することを特徴とする請求項１に記載の画像読取装置。
【請求項３】
前記接着手段は、取り外し可能であることを特徴とする請求項1又は２に記載の画像読取装置。
【請求項４】
前記支持手段は、前記フレームの前記接触部の全体あるいは中央部が、前記原稿セットガラス上面に引っ掛るよう折り曲げられていることを特徴とする請求項１から３のいずれか１項に記載の画像読取装置。
【請求項５】
前記支持手段は、前記フレームの前記接触部が斜めに折り曲げられ、前記原稿セットガラスが前記斜めに折り曲げられたフレームと面で接するように平行に面取りされていることを特徴とする請求項１から３のいずれか１項に記載の画像読取装置。
【請求項６】
前記ガイド手段は、前記ガイド手段を外すことなく前記原稿セットガラスを着脱可能なように、切り欠かれていることを特徴とする請求項１から５のいずれか1項に記載の画像読取装置。
【請求項７】
前記フレームは、金属製であることを特徴とする請求項１から６のいずれか1項に記載の画像読取装置。
【発明の詳細な説明】
【技術分野】
【０００１】
本発明は、原稿を移動させて読み取るシートスルー方式を有する画像読取装置に関する。
【背景技術】
【０００２】
原稿に光を照射し、原稿の反射光をＣＣＤ、ＣＭＯＳ等で構成される撮像素子により読み取る画像読取装置は、図５、６に示すように、原稿セットガラス１、光源として円筒形状のキセノンランプ２、第１ミラー３を有する第１走行体６、第１ミラーからの光をさらに偏向する第２ミラー４、第３ミラー５を含む第２走行体７、レンズ８、および撮像素子９にて構成される。原稿セットガラス１上にセットされた原稿はキセノンランプ２の照射光によって照射され、原稿からの反射光を偏向するミラーが備えられた第１走行体、及び第２走行体が画像読取装置に設けられたレール上を走行することにより、原稿の反射光がレンズ８を介して、撮像素子９へと導かれ、電気信号に変換され、スキャンされる。
【０００３】
上記のような画像読取装置においては、読み取り速度の高速化、高画質化等の要望を満足させる為に、光源の光量増加が必要とされている。現在主に使用されているキセノンランプでは、光量を増加すると、それに伴い発熱量が増え、ランプ温度の上昇が発生する。また、ハロゲンランプ、蛍光灯等でも同様である。そのため機械内部（主にランプ周辺）の熱の発生により周辺温度が上がり、ランプ周辺の部品温度が高くなり、部品の変形、伸び等、影響がでてくる。
【０００４】
そこで、特許文献１では、原稿台より下の領域に温度センサを設け、装置内の温度がある閾値に達したことを検知すると、光源をオフにした状態で走行体を往復移動させ、冷却を行っている。
【特許文献１】特開２００３−２２８１３７号公報
【発明の開示】
【発明が解決しようとする課題】
【０００５】
しかしながら、温度上昇が発生してしまった場合、例えばシートスルー方式では、特定部分にて長時間、原稿を照射し続けるため、周辺部品の温度が高くなってしまい、図７に示すように、ガラスを支えるためのフレームが熱によって膨張し、部品の長手方向のサイズが大きい為、図中ａで記すように中央部が撓むことになる。このような場合には、第１走行体に接触する等の不具合が発生することになる。
【０００６】
本発明は、上記問題点に鑑みてなされたもので、光源による温度上昇によって、周辺部品が変形して装置へ悪影響を及ぼす事を防止することを目的とする。
【課題を解決するための手段】
【０００７】
上記課題を解決するため、本発明における画像読取装置は、原稿を照明するための光源を有する走行体と、原稿をセットし、走行体が直下を走査して読み取る為の原稿セットガラスと、走行体が直下に停滞し、原稿を移動させて読み取る為の小サイズガラスと、小サイズガラスを支えるフレームと、小サイズガラス上を通過した後の原稿の移動をガイドするためのガイド手段と、フレームと原稿セットガラスとの接触部において、フレームが下方に撓むのを防ぐための支持手段を備えることを特徴とする。
【０００８】
支持手段は、フレームの接触部が、９０°折り曲げられ、接触部にてフレームと原稿セットガラスを接着する接着手段を有することを特徴とする。
【０００９】
接着手段は、取り外し可能であることを特徴とする。
【００１０】
支持手段は、フレームの接触部の全体あるいは中央部が、原稿セットガラス上面に引っ掛るよう折り曲げられていることを特徴とする。
【００１１】
支持手段は、フレームの接触部が斜めに折り曲げられ、原稿セットガラスが斜めに折り曲げられたフレームと面で接するように平行に面取りされていることを特徴とする。
【００１２】
ガイド手段は、ガイド手段を外すことなく原稿セットガラスを着脱可能なように、切り欠かれていることを特徴とする。
【００１３】
フレームは、金属製であることを特徴とする。
【発明の効果】
【００１４】
本発明により、光源によって装置内部の温度が上昇しても、周辺部品の変形による装置への悪影響を防ぐ事が可能となる。
【発明を実施するための最良の形態】
【００１５】
図５に示す画像読取装置の内部には、光源２及び両端支持された第１ミラ−３よりなる第１ミラ−ユニット６、そして、やはり両端支持された第２ミラ−４、第３ミラー５よりなる第２ミラ−ユニット７、及び、原稿の反射光をＣＣＤ等の撮像素子９上に結像させるレンズ８が設けられており、ホストコンピュ−タから送られてくる１ライン毎の画像読取要求の信号に応じて、第１ミラ−ユニット及び第２ミラ−ユニットはそれぞれ２：１の一定速度で原稿に沿って移動しながら逐次画像の読取を行うよう構成されている。原稿セットガラス上の原稿は、光源により照明されて、その反射光像が第１ミラー、第２ミラー、第３ミラーを介して光学レンズに導かれ、光学レンズにより撮像素子上に結像される。
【００１６】
この撮像素子は、結像された原稿の反射光像を光電変換してアナログ画像信号とし、原稿の読み取りがおこなわれる。そして、原稿の読み取り終了後に、第１キャリッジと第２キャリッジはホームポジション位置に復動する。なお、撮像素子から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００１７】
通常、走行体６は、光源のキセノンランプ２、原稿面での照度分布を良好なものにするためのリフレクタ、原稿面での反射光をＣＣＤに導く第１ミラーを備えている。シートスルー方式等を使用する際には、走行体６は移動せず、一定の位置で原稿を照射し続け、周辺温度も高くなりやすい。
【００１８】
（実施形態１）
図１は、本発明の実施形態における構成図である。本実施形態では、小サイズガラス２２を支えるフレーム２１において、図中ｂで示すように原稿セットガラス１との接触部分を折り曲げ、原稿セットガラス１との接触部分に接着剤等を用いて固定する。ガラスは、熱膨張率が通常の樹脂、金属に比べて小さいため、フレームを原稿セットガラスに固定することによって、部品温度が上昇しても撓む事がなくなり、他部品に影響を与えることがなくなる。固定方法は、例えば両面テープ等のような後に取り外し可能な接着とすることで、ガラス破損時などの部品交換時における交換性が向上する。
【００１９】
（実施形態２）
図２は、本発明の別の実施形態における構成図である。本実施形態については、小サイズガラス２２を支えるフレーム２１の原稿セットガラス１との接触側を、図中ｃで示すように原稿セットガラス１上面に引っ掛けられるように曲げることによって、フレームが下方へと撓むのを防止する。固定方法は、単に原稿セットガラス１に載置するか、上記実施形態１における方法を組み合わせても良い。フレーム２１を単に原稿セットガラス１に載置する固定方法の場合、簡易な構成でフレームが原稿セットガラスによって固定することが可能となるとともに原稿セットガラスの交換性が容易になる。一方、実施形態１の固定方法と組み合わせた場合、フレームとコンタクトガラスとの接触部を密着できるので、小サイズガラス２２と搬送ガイド２４との隙間に進入する原稿の紙粉がコンタクトガラスより下に落下することを防止することが可能となる。
【００２０】
（実施形態３）
図３は、本発明の別の実施形態における構成図である。本実施形態では、図中ｄ部に示すように、小サイズガラス２２を支えるフレーム２１の原稿セットガラス１との接触部分を斜めに折り曲げ、対向する原稿セットガラス１については、折り曲げられたフレームと面で接するように平行に面取りを行い、フレームを組み込むような形状をすることで固定する。この構成によれば、原稿セットガラス取り外し時、ガラスを斜め方向に取り外すことで、原稿搬送ガイド部品を取り外すことなく、容易に着脱する事が可能となり、部品交換性が向上する。本実施形態においても、もちろん実施形態１の方法を組み合わせることが可能である。
【００２１】
（実施形態４）
また、図４は本発明における別の実施形態の構成について示す図である。フレームが熱で撓む場合には、図７で説明したとおり略中央が最も下方に位置することになる。そこで、本実施形態では、小サイズガラス２２を支えるフレーム２１を中央部のみ原稿セットガラス１上面に折り曲げ、引っ掛ける。また、曲げた部分の上側にくる原稿をガイドするための搬送ガイド２４を、図中ｅ部で示すように、フレーム取り外し時に当たることがないように切り欠く。このように、フレームの熱変形が大きい部分に支持部を設けることで、熱変形を容易に防止できるとともに、原稿セットガラス取り外し時、原稿搬送ガイド部品を取り外すことなく、容易に着脱する事が可能である。もちろん、中央部のみに限らず、２箇所あるいは全体に適用することも可能である。
【００２２】
（実施形態５）
また、上記の各構成において、フレームを金属製とする事により、熱変形時に、塑性変形となりにくく、温度変動に強いフレームとする事が出来る。
【００２３】
以上、本発明の好適な実施の形態により本発明を説明した。ここでは特定の具体例を示して本発明を説明したが、各実施形態における構成は独立したものではなく、適宜組み合わせ構成することにより、より大きな効果が得られる。また、特許請求の範囲に定義された本発明の広範囲な趣旨および範囲から逸脱することなく、これら具体例に様々な修正および変更を加えることができることは明らかである。
【図面の簡単な説明】
【００２４】
【図１】本発明の実施形態に係る画像読取装置の構成図である。
【図２】本発明の実施形態に係る画像読取装置の構成図である。
【図３】本発明の実施形態に係る画像読取装置の構成図である。
【図４】本発明の実施形態に係る画像読取装置の構成図である。
【図５】従来の画像読取装置の構成図である。
【図６】従来の画像読取装置の構成図である。
【図７】温度変化によるフレームの変形について示す図である。
【符号の説明】
【００２５】
１    原稿セットガラス
２１    フレーム
２２    小サイズガラス
２４    搬送ガイド
【図１】
2009218832.tif 000003
【図２】
2009218832.tif 000004
【図３】
2009218832.tif 000005
【図４】
2009218832.tif 000006
【図５】
2009218832.tif 000007
【図６】
2009218832.tif 000008
【図７】
2009218832.tif 000009